(57)【要約】【課題】撮影モードに応じて適応的に撮影補助光の発光が行なわれる撮影装置を提供する。【解決手段】Ｘｅ管とメインコンデンサＭＣとを備えた第１の発光部１８と、ＬＥＤ１６０ａを備えた第２の発光部１６とをデジタルカメラ１００内に配備する。モードレバー１０１ｅが静止画撮影モードに切り替えられ、さらにメニュー・ＯＫキー１０１ｃと十字キー１０１ｂの操作により単写モードが指定されていることを検知したときにメインＣＰＵ１１０は測光・測距ＣＰＵ１２０に指示してＸｅ管から撮影補助光を発光させる。また、連写モードが指定されていることを検知したとき、もしくはモードレバー１０１ｅが動画撮影モードに切り替えられていることを検知したときには、メインＣＰＵ１１０は測光・測距ＣＰＵ１２０に指示してＬＥＤ１６０ａから撮影補助光を発光させる。【選択図】図２
2007235203.tif 000002
【特許請求の範囲】
【請求項１】
撮影光学系により撮像素子上に被写体像を結像して画像信号を生成する撮影装置において、
この撮影装置は、複数の撮影モードを有するものであって、
前記撮影モードのうちのいずれかを操作により選択する操作手段と、
キセノン管とメインコンデンサとを備え、該メインコンデンサに電荷を蓄積しておき、撮影時に被写体に向けて撮影補助光を照射する第１の発光部と、
ＬＥＤを備え、撮影時に被写体に向けて撮影補助光を照射する第２の発光部と、
前記操作手段による操作により選択された撮影モードに応じて前記第１の発光部又は前記第２の発光部に発光を行なわさせる発光制御部とを備えたことを特徴とする撮影装置。
【請求項２】
前記発光制御部は、前記操作手段の操作により複数の撮影モードのうちのいずれかが選択されたときに選択された撮影モードによる撮影が一回の発光で済む撮影モードであると判定した場合には、前記第１の発光部に発光を行なわせ、選択された撮影モードが連続的に発光を行なわせる必要のある撮影モードであると判定した場合には、前記第２の発光部に発光を行なわさせるものであることを特徴とする請求項１記載の撮影装置。
【請求項３】
この撮影装置は、前記撮影モードの中に動画を撮影する動画撮影モードを有するものであって、
前記発光制御部は、前記操作手段の操作により動画撮影モードが選択されたことを受けて前記第２の発光部に発光を行なわさせるものであることを特徴とする請求項１記載の撮影装置。
【請求項４】
この撮影装置は、前記撮影モードの中に１回の撮影操作で連続的に複数コマの静止画撮影を行なう連写撮影モードを有するものであって、
前記発光制御部は、前記操作手段の操作により連写撮影モードが選択されたことを受けて前記第２の発光部に発光を行なわさせるものであることを特徴とする請求項１記載の撮影装置。
【請求項５】
この撮影装置は、前記撮影モードの中に極至近距離にある被写体を撮影するマクロ撮影モードを有するものであって、
前記発光制御部は、前記操作手段の操作により前記マクロ撮影モードが選択されたことを受けて前記第２の発光部に発光を行なわせるものであることを特徴とする請求項１記載の撮影装置。
【請求項６】
この撮影装置は、前記撮影光学系が内蔵されたレンズ鏡胴を備えたものであって、
前記第２の発光部が備えるＬＥＤは、前記レンズ鏡胴の先端部に配設されたものであることを特徴とする請求項５記載の撮影装置。
【請求項７】
撮影光学系により撮像素子上に被写体像を結像して画像信号を生成する撮影装置において、
この撮影装置は、複数の撮影モードを有するものであって、
前記撮影モードのうちのいずれかを操作により選択する操作手段と、
キセノン管とメインコンデンサとを備え、該メインコンデンサに電荷を蓄積しておき、撮影時に被写体に向けて撮影補助光を照射する第１の発光部と、
ＬＥＤを備え、撮影時に被写体に向けて撮影補助光を照射する第２の発光部と、
前記第１の発光部と前記第２の発光部とのうちのいずれかを操作により指定する指定手段と、
前記指定手段により前記第１の発光部が指定されたことを受けて前記第１の発光部に発光を行なわさせ、前記指定手段により前記第２の発光部が指定されたことを受けて前記第２の発光部に発光を行なわさせる前記発光制御部とを備えたことを特徴とする撮影装置。
【発明の詳細な説明】
【技術分野】
【０００１】
本発明は、撮影光学系により撮像素子上に被写体像を結像して画像信号を生成する撮影装置に関する。
【背景技術】
【０００２】
被写界が暗いときには撮像素子の感光面等に与えられる光量が不足することから、大抵の撮影装置には被写界を照明して撮影に必要な光量を確保するための発光部が備えられている。この発光部の発光源としてよく用いられているのがキセノン管でありほとんどの撮影装置が備える発光部にはこのキセノン管が配備されている。
【０００３】
このキセノン管は、発光量が多いので静止画撮影モードにおける撮影においては撮影光量が充分に補われるというメリットがあるものの、動画撮影モードや連写撮影モードにおける撮影においては対応が利かないというデメリットがある。
【０００４】
そこで最近では、そのキセノン管の代替品としてＬＥＤを発光源として用いようという動きが出始めている。
【０００５】
このＬＥＤは、上記キセノン管よりも発光光量は少ないものの、連続的に発光を行なうことができるという利点を持っている。上記キセノン管では対応が利かない、上記動画撮影モードや上記連写撮影モードにあっては、昼間撮影が行なわれることが多いため、上記ＬＥＤを用いると好適な補助光撮影が行なわれる。
【０００６】
しかし上記ＬＥＤでは静止画撮影モード時であって被写界が暗いときに遠距離撮影が行なわれると撮影補助光を被写体にまで到達させることができずに光量不足が発生してしまう。その光量不足を補うために撮像素子で生成された画像信号の増幅を行なうアンプの増幅率を上げ感度アップを図ることによりＬＥＤの光量不足を補うこともできるが、そうするとノイズも増幅されてしまって画像の品質が劣化してしまうという問題が新たに出てくる。
【特許文献１】特開２００２−２０７２３６号公報
【発明の開示】
【発明が解決しようとする課題】
【０００７】
本発明は、上記事情に鑑み、様々な撮影モードで適切な補助光撮影を行なうことができる撮影装置を提供することを目的とする。
【課題を解決するための手段】
【０００８】
上記目的を達成する本発明の第１の撮影装置は、撮影光学系により撮像素子上に被写体像を結像して画像信号を生成する撮影装置において、
この撮影装置は、複数の撮影モードを有するものであって、
上記撮影モードのうちのいずれかを操作により選択する操作手段と、
キセノン管とメインコンデンサとを備え、そのメインコンデンサに電荷を蓄積しておき、撮影時に被写体に向けて撮影補助光を照射する第１の発光部と、
ＬＥＤを備え、撮影時に被写体に向けて撮影補助光を照射する第２の発光部と、
上記操作手段による操作により選択された撮影モードに応じて上記第１の発光部又は上記第２の発光部に発光を行なわさせる発光制御部とを備えたことを特徴とする。
【０００９】
上記本発明の第１の撮影装置によれば、上記キセノン管を備える第１の発光部と上記ＬＥＤを備える第２の発光部との双方がこの撮影装置に配備され、上記操作手段により選択された撮影モードに応じて上記発光制御部が上記第１の発光部又は上記第２の発光部のいずれかを選択して選択した発光部に撮影補助光を発光させる。
【００１０】
そうすると、操作手段により静止画撮影モードが選択されたときには上記発光制御部が、上記第１の発光部を選択し選択した第１の発光部が備える上記キセノン管に発光を行なわせることができるとともに、動画撮影モードや連写撮影モードが選択されたときには上記第２の発光部が備えるＬＥＤに発光を行なわせることができる。
【００１１】
いままでは上記第１の発光部と上記第２の発光部のうちのどちらか一方の発光部しか備えられていなかったので適切な補助光撮影を行なうことができなかったが、本発明では上記第１の発光部と上記第２の発光部との双方が配備されているので、撮影モードに応じていずれかに発光を行なわせることによって適切な補助光撮影が行なわれる。
【００１２】
以上説明した様に様々な撮影モードで適切な補助光撮影を行なうことができる撮影装置が実現する。
【００１３】
ここで上記発光制御部は、上記操作手段の操作により複数の撮影モードのうちのいずれかが選択されたときに選択された撮影モードによる撮影が一回の発光で済む撮影モードであると判定した場合には、上記第１の発光部に発光を行なわせ、その撮影モードが連続的に発光を行なわせる必要のある撮影モードであると判定した場合には、上記第２の発光部に発光を行なわさせるものであることが好ましい。
【００１４】
そうすると上記撮影モードによる撮影が一回で済む場合には、コンデンサに蓄えられた電荷を一気に吐き出させることにより上記第１の発光部が備えるキセノン管に大光量で発光を行なわせることができる。
【００１５】
また、この撮影装置が上記撮影モードの中に動画を撮影する動画撮影モードを有するものである場合には、
上記発光制御部が、上記操作手段の操作により動画撮影モードが選択されたことを受けて上記第２の発光部に発光を行なわせるものであることが好ましい。
【００１６】
さらに、この撮影装置が上記撮影モードの中に１回の撮影操作で連続的に複数コマの静止画撮影を行なう連写撮影モードを有するものである場合には、
上記発光制御部が、上記操作手段の操作により上記連写撮影モードが選択されたことを受けて上記第２の発光部に発光を行なわせるものであることが好ましい。
【００１７】
上記動画撮影モードや上記連写撮影モードの場合には昼間撮影が行なわれることが多く、あまり光量不足が発生する恐れがない。このため、光量が少なくても連続的に安定した発光が行なわれるＬＥＤを用いた方が良く、上記ＬＥＤからは時間が経過してもほぼ同じ光量の、安定した発光が行なわれ続ける。このため、上記連写撮影モードにおいては、また上記動画撮影モードにおいては、上記第２の発光部が備えるＬＥＤに発光を行なわせることで適切な補助光撮影が行なわれる。
【００１８】
さらに、光量が少なくても補助光撮影を行なうことができる撮影モードの中には上記連写撮影モードや動画撮影モードの他に極至近距離で撮影を行なうマクロ撮影モードもある。
【００１９】
もしもこの撮影装置が上記撮影モードの中に極至近距離にある被写体を撮影するマクロ撮影モードを有するものの場合には、
上記発光制御部は、上記操作手段の操作により上記マクロ撮影モードが選択されたことを受けて上記第２の発光部に発光を行なわせるものであると良い。
【００２０】
また上記マクロ撮影モードを有する撮影装置が、上記撮影光学系が内蔵されたレンズ鏡胴を備えたものである場合には、上記第２の発光部が備えるＬＥＤが上記レンズ鏡胴の先端部に配設されたものであることが望ましい。
【００２１】
上記マクロ撮影モードにおける撮影においては、極至近距離の被写体が撮影されるため、ボディ側にＬＥＤが設けられているとそのＬＥＤから発光された光がレンズ鏡胴にけられたり、そのＬＥＤから極至近距離に在る被写体に向かって斜めに撮影補助光が照射されて被写体側に影が出来たりしてしまう恐れがある。上記の様に上記レンズ鏡胴の先端部に上記ＬＥＤが配設されるとその恐れがなくなる。
【００２２】
また、撮影モードに応じて上記第１の発光部と上記第２の発光部とのうちのいずれかから自動的に撮影補助光が発光される構成ではなく、手動操作により上記第１の発光部と第２の発光部とのうちのいずれかから撮影補助光が発光される様にしても良い。
【００２３】
上記目的を達成する本発明の第２の撮影装置は、撮影光学系により撮像素子上に被写体像を結像して画像信号を生成する撮影装置において、
この撮影装置は、複数の撮影モードを有するものであって、
前記撮影モードのうちのいずれかを操作により選択する操作手段と、
キセノン管とメインコンデンサとを備え、そのメインコンデンサに電荷を蓄積しておき、撮影時に被写体に向けて撮影補助光を照射する第１の発光部と、
ＬＥＤを備え、撮影時に被写体に向けて撮影補助光を照射する第２の発光部と、
上記第１の発光部と上記第２の発光部とのうちのいずれかを操作により指定する指定手段と、
上記指定手段により上記第１の発光部が指定されたことを受けて上記第１の発光部に発光を行なわさせ、上記指定手段により上記第２の発光部が指定されたことを受けて上記第２の発光部に発光を行なわさせる上記発光制御部とを備えたことを特徴とする。
【００２４】
上記本発明の第２の撮影装置によれば、撮影者自らが撮影モードに応じて操作により上記第１の発光部又は上記第２の発光部のいずれかを上記指定手段で指定してから撮影を行なうことができる。
【００２５】
そうすると、撮影モードに応じて撮影者が適切であるとした上記第１の発光部又は上記第２の発光部から補助光発光が行なわれて適切な補助光撮影が行なわれる。
【発明の効果】
【００２６】
以上、説明したように、様々な撮影モードに応じて適切な補助光撮影が行なわれる撮影装置が実現する。
【発明を実施するための最良の形態】
【００２７】
以下、図面を参照して本発明の実施の形態を説明する。
【００２８】
図１は、本発明の撮影装置の一実施形態であるデジタルカメラを示す図である。
【００２９】
図１には本発明の一実施形態であるデジタルカメラの斜視図が示されている。図１（ａ）には正面上方から見た斜視図が示されており、図１（ｂ）には背面上方から見た斜視図が示されている。
【００３０】
図１（ａ）に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれるようになっている。このデジタルカメラ１００では、後述するＣＣＤ固体撮像素子でスルー画や撮影画像を表す画像信号が生成される他、その画像信号に基づいてＴＴＬ測距およびＴＴＬ測光が行われて被写体距離や被写体輝度が検出されるようにもなっている。
【００３１】
その検出された被写界輝度によっては、デジタルカメラ１００内部に配備されているＬＥＤからの撮影補助光が補助光発光窓１６０を通して被写体に向けて照射されたり、キセノン管からの撮影補助光が補助光発光窓１８０を通して被写体に向けて照射されたりする。この実施形態では、上記課題を解決するために２つの発光部（後述する）が配備されている。
【００３２】
また、図１（ｂ）に示すように本実施形態のデジタルカメラ１００の背面および上面には撮影者がこのデジタルカメラ１００を使用するときにいろいろな操作を行なうための操作スイッチ群が設けられている。
【００３３】
この操作スイッチ群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅなどがある。これらの操作子群の中のモードレバー１０１ｅによって再生モードと撮影モードの切り替えや撮影モードにあってはさらに動画モード、静止画モードの切り替えが行なわれる。さらに静止画撮影モードに切り替えられた状態にあるときにメニュー／ＯＫキー１０１ｃが操作されると、静止画撮影モードの中の選択項目として単写モードと連写モードの２つの選択項目が表示され、十字キー１０１ｂとメニュー／ＯＫキー１０１ｃの操作によりいずれかが選択されるようにもなっている。
【００３４】
いずれの撮影モードが指定されていたとしても上記モードレバー１０１ｅが撮影モードに切り替えられた状態にあるときには電源スイッチ１０１ａが投入されたらＬＣＤパネル１５０上にスルー画が表示されそのスルー画を見ながらシャッタチャンスにレリーズ釦１０２が押されたら被写体の撮影が行なわれる。なお上記モードレバー１０１ｅが再生側に切り替えられた状態にあるときには既撮影画像の再生表示がＬＣＤパネル１５０上に行なわれる。
【００３５】
また本実施形態のデジタルカメラが備えるレリーズ釦１０２は半押しと全押しの２つの操作態様を有しており、半押しされたときにＴＴＬ測光とＴＴＬ測距との双方が撮影装置内で行われて測光値に応じた絞りの開口が調整され、また測距された被写体距離にあうピント位置にフォーカスレンズが配置された後、全押し操作に応じてＣＣＤ固体撮像素子に電子シャッタが設定され露光が行なわれる。ＴＴＬ測光が行われたときに被写界輝度が暗いと判定されたら、補助光発光窓１６０や補助光発光窓１８０のいずれかから撮影補助光が発光され撮影が行なわれる。
【００３６】
本実施形態のデジタルカメラ１００には前述の如く２つの発光部が配備されており、第１の発光部にはＸｅ管とメインコンデンサが配備され第２の発光部にはＬＥＤとＬＥＤ駆動部が配備されている。詳細は後述するが上記課題を解決するために本実施形態のデジタルカメラ１００では、静止画撮影モードであってしかも単写撮影モードであるときにはＸｅ管を備える第１の発光部に撮影補助光の発光を行なわせて、静止画撮影モードであってしかも連写撮影モードであるとき、または動画撮影モードであるときにはＬＥＤを備える第２の発光部に撮影補助光の発光を行なわせている。
【００３７】
図２は図１のデジタルカメラ１００内部の電気系統の構成ブロック図である。  
【００３８】
図２を参照してメインＣＰＵ１１０が上記第１の発光部１８に、または第２の発光部１６にどのように撮影補助光の発光を行なわせるかを説明する。
【００３９】
まず、撮影補助光を発光させるときの処理を説明する前に、このデジタルカメラ１００の内部の構成および動作を簡単に説明しておく。
【００４０】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１からの操作信号がそれぞれ供給されている。このメインＣＰＵ１１０には、常に電源部１３０内のバッテリから電力が供給されている。またメインＣＰＵ１１０はＥＥＰＲＯＭ１１０ａを有しており、このＥＥＰＲＯＭ１１０ａにも電源部１３０内のバッテリから電力が供給されている。このＥＥＰＲＯＭ１１０ａの中にはデジタルカメラ１００として動作するために必要なプログラムが書き込まれているので、電源スイッチ１０１ａが投入されたことがメインＣＰＵ１１０に検知されたらＥＥＰＲＯＭ１１０ａ内のプログラムの手順にしたがってメインＣＰＵ１１０によってこのデジタルカメラ全体の動作の制御が開始される。
【００４１】
まず画像信号の流れを、図２を参照して説明する。
【００４２】
電源スイッチ１０１ａ（図１参照）が投入されたら、メインＣＰＵ１１０により電源スイッチ１０１ａが投入されたことが検知され、電源部１３０から測光・測距ＣＰＵ１４０などの各ブロックに電力が供給される。電源スイッチ１０１ａが投入されたときにモードレバー１０１ｅが撮影側に切り替えられている場合には、まずＣＣＤ固体撮影素子１１０に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとに、画像信号が間引かれて出力される。このＣＧ１１２１からはメインＣＰＵ１１０からの指示に基づいてタイミング信号が出力されており、そのタイミング信号は、ＣＣＤ固体撮像素子１１２の他、後段のＡ／Ｄ部１１３、およびホワイトバランスγ処理部１１４にも供給されている。したがって、ＣＣＤ固体撮像素子１１２、Ａ／Ｄ部１１３、ホワイトバランスγ処理部１１４ではそのタイミング信号に同期して順序良く画像信号の処理が流れるように行なわれる。
【００４３】
このようにメインＣＰＵ１１０の指示に応じてＣＧ１１２１から出力されるタイミング信号に同期してＡ／Ｄ部１１３でデジタルの画像信号に変換され、またホワイトバランスγ処理部１１４でホワイトバランス調整やγ補正が所定の間隔ごとに行なわれていくときには、それらの画像信号の流れをうまく処理する必要があるので、後段にバッファメモリ１１５が設けられていて、そのバッファメモリ１１５によって所定の間隔ごとに画像信号がＹＣ処理部１１６に転送されるタイミングが調整されている。そのバッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２に供給される。このドライバ１５２によって画像表示ＬＣＤ１５のＬＣＤパネル１５０上にＲＧＢ信号に基づくカラー画像（被写体像）の表示が行なわれる。前述したＣＧ１１２１から出力されるタイミング信号に同期してＣＣＤ固体撮像素子１１２、Ａ／Ｄ部１１３、ホワイトバランスγ処理部１１４が動作して、所定の間隔ごとにＣＣＤ固体撮像素子１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにレリーズ釦１０２が押されたらレリーズ釦１０２の押下タイミングを起点として所定の時間を経た後、ＣＣＤ固体撮像素子１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がＩ／Ｆ１１８によってメモリカード１１９に記録される。この圧縮・伸張部１１７では静止画についてはＪＰＥＧ規格に準拠した圧縮方法で圧縮が行なわれてメモリカード１１９に画像信号が記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００４４】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズ１１１０の位置制御や絞り１１１２の切り替え制御が行なわれている。この測光・測距ＣＰＵ１２０では、焦点調整にあってはメインＣＰＵ１１０からの測距値に応じてフォーカスレンズ１１１０を合焦点位置に駆動し、露出調整にあってはメインＣＰＵ１１０からの測光値に応じて絞り１１１２の開口の大きさを変更してＣＣＤ固体撮像素子１１２の撮影面に与えられる光量を制御している。
【００４５】
また測光値によっては撮影補助光を発光する必要があるので、測光・測距ＣＰＵ１２０がＬＥＤ発光制御部１６ａあるいはＸｅ管発光制御部１８ａに指示してＬＥＤ１６０ａ又はＸｅ管を発光させている。  
【００４６】
なおＸｅ管発光制御部１８aは図２に示すメインコンデンサＭＣへの充電を行なうとともに、その充電により電荷を蓄積しているときにメインコンデンサＭＣの電極に発生する電圧を抵抗Ｒ１と抵抗Ｒ２の分圧回路によりモニタしている。
【００４７】
上記Ｘｅ管発光制御部１８ａとキセノン管ＸｅとトランジスタＩＧＢＴとメインコンデンサＭＣが本発明にいう第１の発光部１８にあたり、ＬＥＤ発光制御部１６ａとＬＥＤ１６０ａが本発明にいう第２の発光部１６にあたる。また測光・測距ＣＰＵ１２０とメインＣＰＵ１１０とが本発明にいう発光制御部にあたる。なお、図２には連写撮影や動画撮影等のときに撮影補助光のタイミングを調整するための撮影補助光発光タイミング調整部１４０も示されている。
【００４８】
ここで、メインＣＰＵ１１０が上記第１の発光部１８と上記第２の発光部１６とのうちのどちらに発光を行なわせるかをどのように決定するか、またその決定を受けて測光・測距ＣＰＵ１２０が第１の発光部１８又は第２の発光部１６にどのようにして発光を行なわせるかを説明する。
【００４９】
図３は、メインＣＰＵ１１０が行なう撮影処理の手順を示すフローチャートである。
【００５０】
図３（ａ）には、撮影処理の手順が示されており、図３（ｂ）には、図３（ａ）のステップＳ３０３の発光部選択の詳細が示されている。
【００５１】
レリーズ釦１０２が押されて半押し状態になったら、このフローの処理が開始される。ステップＳ３０１でＡＥ処理つまりＴＴＬ測光を行なう。そしてその結果を測光・測距ＣＰＵ１２０に伝えて結果に応じて、測光・測距ＣＰＵ１２０に絞り１１２の開口を変更させる。次のステップＳ３０２でＡＦ処理つまりＴＴＬ測距を行なうため、まずは測光・測距ＣＰＵ１２０にフォーカスレンズを光軸に沿って移動させるように指示を出してフォーカスレンズを移動させながら、輝度のサンプリングを行なってＹＣ処理部１１６（図２参照）の輝度情報に基づいてコントラストを求める。そして求めたコントラストが最も大きくなる位置を合焦点位置としてその合焦点位置を測光・測距ＣＰＵ１２０に通知してフォーカスレンズ１１１０をその合焦点位置に移動させる。ステップＳ３０１でのＴＴＬ測光の測定結果、ステップＳ３０２でのＴＴＬ測距の測定結果により撮影補助光を発光させる必要があると判定した場合にはステップＳ３０３で第1の発光部（Ｘｅ管側）１８、第２の発光部（ＬＥＤ側）１６のいずれかに測光・測距ＣＰＵ１２０の制御の下に撮影補助光を発光させるとともに、測光・測距ＣＰＵ１２０を経由してＣＧ１１２１からＣＣＤ１１２へ露光開始信号を供給させて露光を開始させる。ステップＳ３０３の露光開始から所定の時間を経過したら、ステップＳ３０４で今度は露光終了信号および読出信号をＣＧ１１２１からＣＣＤ１１２へ供給させて、ＣＣＤ１１２から画像信号をＡ／Ｄ部１１３へと読み出す。ステップＳ３０５でＡ／Ｄ部１１３にアナログの画像信号からデジタルの画像信号への変換を行なわせてホワイトバランスγ処理部１１４へ供給させる。次のステップＳ３０６でホワイトバランスγ処理部１１４に画像処理を行なわせ、画像処理を行なわせた画像信号をバッファ１１５に出力させ、そのバッファ１１５に出力させた画像信号を、さらにタイミングを計ってＹＣ処理部１１６に転送してＹＣ処理部１１６に画像処理を行なわせる。ステップＳ３０７で圧縮・伸張部１１７に画像信号の圧縮を行なわせた後、次のステップＳ３０８へ進んでＩ／Ｆ１１８に媒体ここではメモリカード１１９への記録を行なわせてこのフローの処理を終了する。
【００５２】
ここで、ステップＳ３０３の処理の詳細を図３（ｂ）を参照して説明する。
【００５３】
ステップＳ３０３の処理は、メインＣＰＵ１１０の処理ステップであるが、メインＣＰＵ１１０から測光・測距ＣＰＵ１２０に測光値を通知して測光・測距ＣＰＵ１２０に絞りの開口や電子シャッタのシャッタ秒時を調節させたり、発光部の選択を行なせたりしているので、メインＣＰＵ１１０の処理についてはメインＣＰＵ１１０はという主語を付けて説明し、測光・測距ＣＰＵ１２０の処理については測光・測距ＣＰＵ１２０はという主語を付けて図３（ｂ）に示すフローチャートを説明する。前述した様にこの測光・測距ＣＰＵ１２０もメインＣＰＵ１１０とともに本発明にいう発光制御部にあたる。
【００５４】
ステップＳ３０３１で、メインＣＰＵ１１０は、静止画撮影モードであるか動画撮影モードであるかをモードレバー１０１eが切り替えられている位置により検知する。モードレバー１０１ｅが動画撮影モードの位置に切り替えられていると判定したら動画撮影モード側へ進んでステップＳ３０３４へ進んでステップＳ３０３４で第２の発光部１６が備えるＬＥＤ１６０ａを使用すると決定し、決定した事項を測光・測距ＣＰＵ１２０に通知する。測光・測距ＣＰＵ１２０は、ステップＳ３０１で測定した測光値に応じて絞りの開口を調節するとともに電子シャッタを開ける。次のステップＳ３０３６へ進んでシャッタ開の状態にあるときに第２の発光部１６が備えるＬＥＤ１６０ａに撮影補助光の発光を行なわせて次のステップＳ３０３７へ進んでステップＳ３０３７でシャッタを閉じて撮影処理ルーチンのステップＳ３０４に戻る。
【００５５】
また、ステップＳ３０３１でメインＣＰＵ１１０が、モードレバー１０１ｅが静止画撮影モードの位置に切り替えられていると判定したら静止画撮影モード側へ進んでステップＳ３０３２でメニュー／ＯＫキー１０１ｃと十字キー１０１ｂの操作により単写モードが指定されているか、連写モードが指定されているかを判定する。このステップＳ３０３２で連写撮影モードが指定されていると判定したらステップＳ３０３４へ進んでステップＳ３０３４でＬＥＤを使用すると決定し、ステップＳ３０３５からステップＳ３０３７までの処理を行なって撮影処理ルーチンのステップＳ３０４へ進む。
【００５６】
また、ステップＳ３０３２でメニュー／ＯＫキー１０１ｃと十字キー１０１ｂの操作により単写モードが指定されていると判定したら単写側へ進んでステップＳ３０３３で第１の発光部１８が備えるＸｅ管を使用すると決定してステップＳ３０３５からステップＳ３０３７の処理を行なって撮影処理ルーチンのステップＳ３０４に戻る。
【００５７】
つまり、モードレバー１０１ｅの切替位置と、メニュー／ＯＫキー１０１ｃと十字キー１０１ｂの操作により選択された撮影モードに応じて発光制御部にあたるメインＣＰＵ１１０によって第１の発光部１８又は第２の発光部１６が選択されて測光・測距ＣＰＵ１２０の制御の下に好適な撮影補助光の発光が行なわれる。そうすると、従来例に記載した様に単写モードで遠距離撮影を行なう場合には、Ｘｅ管から撮影補助光の発光を行なわせることができるので、光量を確保するために撮影感度を上げる必要がなくなってノイズの増加によって画像の品質が劣化するということがなくなる。また、連写撮影モードや動画撮影オードにおける撮影においては、連続的に安定した発光が行なわれるＬＥＤから好適な撮影補助光が発光されて鮮明な撮影が行なわれる。
【００５８】
以上説明した様に、撮影モードに応じて適応的に撮影補助光の発光が行なわれる撮影装置が実現する。
【００５９】
図４は、第２の実施形態のデジタルカメラ１００Ｂを正面斜め上方から見た斜視図である。
【００６０】
この第２の実施形態のデジタルカメラ１００Ｂはマクロ撮影モードを有するものであっ
て、マクロ撮影モードが指定された状態にあるときには、図４に示すレンズ鏡胴１７０の先端部に配設されている４つのＬＥＤ１６０Ｂ１〜１６０Ｂ４から撮影補助光が発光される。
【００６１】
図４に示すデジタルカメラ１００ｂの構成は、第２の発光部が備えるＬＥＤ１６０ｂ１〜１６０ｂ４がレンズ鏡胴の先端部に配設されていることとモードレバー１０１ｅの切替項目の中にマクロモードが配備されている以外は、図１の構成と同じである。また図４に示すデジタルカメラ１００Ｂの内部の構成は図２に示す構成も第２の発光部１６の構成以外は同じである。
【００６２】
図５は、図４に示すデジタルカメラ１００Ｂが備えるメインＣＰＵ１１０と測光・測距ＣＰＵ１２０が行なう撮影処理の手順を示すフローチャートである。
【００６３】
ステップＳ３０３１とステップＳ３０３２の処理が、ステップＳ３０３１Ｂのみの処理になってそのステップＳ３０３１Ｂが通常撮影モードであるか、マクロ撮影モードであるかを判定するステップになっている以外は図３と同じ処理である。
【００６４】
また、ステップＳ３０３１ＢでメインＣＰＵ１１０が、モードレバー１０１ｅがマクロ撮影モードの位置に切り替えられていると判定したらマクロ撮影モード側へ進んでステップＳ３０３４で第２の発光部１６が備えるＬＥＤ１６０ａを使用すると決定し、決定した事項を測光・測距ＣＰＵ１２０に通知する。測光・測距ＣＰＵ１２０は、ステップＳ３０１で測定した測光値に応じて絞りの開口を調節するとともに電子シャッタを開ける。次のステップＳ３０３６へ進んでシャッタ開の状態にあるときに第２の発光部１６が備えるＬＥＤ１６０ａに撮影補助光の発光を行なわせて次のステップＳ３０３７へ進んでステップＳ３０３７でシャッタを閉じて撮影処理ルーチンのステップＳ３０４に戻る。
【００６５】
ステップＳ３０３１Ｂでモードレバー１０１ｅが通常撮影モードの位置に切り替えられていると判定したら通常撮影モード側へ進んでステップＳ３０３３でＸｅ管を使用すると決定し、決定した事項を測光・測距ＣＰＵ１２０に通知する。測光・測距ＣＰＵ１２０は、ステップＳ３０１で測定した測光値に応じて絞りの開口を調節するとともに電子シャッタを開ける。次のステップＳ３０３６へ進んでシャッタ開の状態にあるときに第２の発光部１６が備えるＬＥＤ１６０ａに撮影補助光の発光を行なわせて次のステップＳ３０３７へ進んでステップＳ３０３７でシャッタを閉じて撮影処理ルーチンのステップＳ３０４に戻る。
【００６６】
このようにしても撮影モードに応じて好適な撮影補助光が発光され各撮影モードにおいて高い品質の画像が得られる。
【００６７】
図６は、第３の実施形態のデジタルカメラ１００Ｃを正面斜め上方から見た斜視図である。
【００６８】
図６に示すデジタルカメラの構成は、第１の発光部（Ｘｅ管）、第２の発光部（ＬＥＤ）、Ａｕｔｏのうちのいずれかを操作により指定する指定手段１００１Ｃが備えられている以外は、図１に示すデジタルカメラ１００の構成と同じである。また図６に示すデジタルカメラの内部構成も、その指定手段１００１Ｃからの操作信号がメインＣＰＵ１１０に供給されている以外は同じ構成である。
【００６９】
図７は、図６に示すデジタルカメラ１００Ｃが備える、本発明にいう発光制御部にあたるメインＣＰＵ１１０と測光・測距ＣＰＵ１２０が行なう撮影処理の手順を示すフローチャートである。図７には‘Ａｕｔｏ’が指定されたときの処理が省略されているが、Ａｕｔｏが指定されたときには、図３（ｂ）のフローに基づく処理が行なわれる。
【００７０】
また、ステップＳ３０３１ＣでメインＣＰＵ１１０が、指定手段１００１ＣがＬＥＤ（２）側に切り替えられていると判定したらＬＥＤ側へ進んでステップＳ３０３４でＬＥＤを使用すると決定し、決定した事項を測光・測距ＣＰＵ１２０に通知する。測光・測距ＣＰＵ１２０は、ステップＳ３０１で測定した測光値に応じて絞りの開口を調節するとともに電子シャッタを開ける。次のステップＳ３０３６へ進んでシャッタ開の状態にあるときに第２の発光部１６が備えるＬＥＤ１６０ａに撮影補助光の発光を行なわせて次のステップＳ３０３７へ進んでステップＳ３０３７でシャッタを閉じて撮影処理ルーチンのステップＳ３０４に戻る。
一方ステップＳ３０３１Ｃで指定手段１００１ＣがＸｅ管（１）側に切り替えられていると判定したらＸｅ管側へ進んでステップＳ３０３３でＸｅ管を使用すると決定し、決定した事項を測光・測距ＣＰＵ１２０に通知する。測光・測距ＣＰＵ１２０は、ステップＳ３０１で測定した測光値に応じて絞りの開口を調節するとともに電子シャッタを開ける。次のステップＳ３０３６へ進んでシャッタ開の状態にあるときに第１の発光部１８が備えるキセノン管Ｘｅに撮影補助光の発光を行なわせて次のステップＳ３０３７へ進んでステップＳ３０３７でシャッタを閉じて撮影処理ルーチンのステップＳ３０４に戻る。
【００７１】
このようにすると、撮影者自らが撮影モードに応じて上記第１の発光部又は上記第２の発光部のいずれかを操作により指定してから撮影を行なうことができるので、撮影者の意思が反映された、適応的な撮影補助光の発光が撮影モードに応じて行なわれる。
【００７２】
以上説明した様に、撮影モードに応じて適応的に撮影補助光の発光が行なわれる撮影装置が実現する。
【図面の簡単な説明】
【００７３】
【図１】本発明の撮影装置の一実施形態であるデジタルカメラを示す図である。
【図２】図１のデジタルカメラ１００内部の電気系統の構成ブロック図である。
【図３】メインＣＰＵ１１０が行なう撮影処理の手順を示すフローチャートである。
【図４】第２の実施形態のデジタルカメラ１００Ｂを正面斜め上方から見た斜視図である。
【図５】図４に示すデジタルカメラ１００Ｂが備えるメインＣＰＵ１１０と測光・測距ＣＰＵ１２０が行なう撮影処理の手順を示すフローチャートである。
【図６】第３の実施形態のデジタルカメラ１００Ｃを正面斜め上方から見た斜視図である。
【図７】図６に示すデジタルカメラ１００Ｃが備える、本発明にいう発光制御部にあたるメインＣＰＵ１１０と測光・測距ＣＰＵ１２０が行なう撮影処理の手順を示すフローチャートである。
【符号の説明】
【００７４】
１００  １００Ｂ  １００Ｃ  デジタルカメラ
１０１ａ      電源スイッチ
１０１ｂ    十字キー
１０１ｃ    メニューキー
１０１ｄ    キャンセルキー
１０１ｅ      モードレバー
１０２        レリーズ釦
１６      第２の発光部
１６ａ    ＬＥＤ発光制御部
１６０      補助光発光窓
１６０ａ    ＬＥＤ
１６０Ｂ１  １６０Ｂ２  １６０Ｂ３  １６０Ｂ４    ＬＥＤ
１７０    レンズ鏡胴
１８    第１の発光部
１８ａ    Ｘｅ管発光制御部
１８０      補助光発光窓
【図１】
2007235203.tif 000003
【図２】
2007235203.tif 000004
【図３】
2007235203.tif 000005
【図４】
2007235203.tif 000006
【図５】
2007235203.tif 000007
【図６】
2007235203.tif 000008
【図７】
2007235203.tif 000009